(57)【特許請求の範囲】
【請求項１】
水道管と水処理器とに接続して、水道管より供給される水（以下これを原水と称す）および水処理器より受水する水の流れを切り替える弁装置であって、原水を取入れる原水取水口、原水を第１の水処理器（以下浄水器と称す）へ給水する原水給水口、浄水器より受水する浄水受入口、ＲＯ膜水処理器等高度な純水製造器（以下これを純水器と称す）へ浄水器で処理された水（以下これを浄水と称す）を供給する浄水出水口、前記した純水器より、高度な純水製造過程にて廃棄される水を受入する廃棄水受入口、廃棄水や逆洗水を排出する排水出水口を有し且つ、前記各口と連通する位置に軸線を有する円形筒状の弁室を設けた弁箱と、前記弁箱の弁室に、内筒と外筒を有し、回動自在に設けられ、前記内筒外壁と外筒内壁との間に密着した隔壁Ａおよび隔壁Ｂを構成し、底面を内筒外壁、頂面を外筒内壁、一側面を弁抜き止め蓋、他側面を隔壁Ａとして成り且つ、頂面の外筒を穿孔して、弁箱の原水取入口より原水を入水する複体の原水取入孔および弁箱の原水給水口へ給水する複数の原水給水孔を有して成る原水流通部、底面を内筒外壁、頂面を外筒内壁、一側面を隔壁Ａ、他側面を隔壁Ｂにて成り且つ、外筒を穿孔して、弁箱の浄水受入口より浄水を受入する複数の浄水受入孔および弁箱の浄水出水口より浄水を出水する複数の浄水出水孔を有して成る浄水流通部、底面を内筒外壁、頂面を外筒内壁、一側面を隔壁Ｂ、他側面を弁箱の弁室底壁にて成り且つ、弁箱の廃棄水受入口より廃棄水を受入する複数の廃棄水受入孔、弁箱の排水出水口へ廃棄水を排水する複数の排出孔を有し、排水連通枝路と連通して、内筒の排水連通路と常時連通する排水流通部、原水流通部と浄水流通部を区分する隔壁Ａの一部を穿削し、原水流通部側を隧道入口とし、浄水流通部側へ延長し、両側面に外筒と内筒間で隧道側壁を、延長先端に隧道止壁を、なお先端部にて外筒に孔を設けて隧道出口孔と成し、常時原水流通部と連通する原水隧道を有して成る弁と、この弁に連結して弁を回動操作するハンドルを具備し、前記弁は前記ハンドルに回動されて、前記した水道管より供給される水を、浄水器へ順方向に流して浄水を得、さらに純水器へ順方向に流して純水を製造する位置と、前記原水を浄水器に逆方向より流して浄水器を逆洗し、前記弁箱の排水出水口より逆洗水を排出する逆洗位置と、前記原水を浄水器に順方向に流して、浄水器を洗浄し、同時に浄水で純水器をも洗浄して前記弁箱の排水出水口より排水する洗浄位置とに夫々配置され、弁２の、複数の原水取入孔は常時弁箱の原水取水口と連通して原水を原水流通部へ受水導入し、複数の原水出水孔は、常時原水流通部に連通して、純水製造位置および洗浄位置には弁箱の原水給水口に連通し、複数の浄水受入孔は前記純水製造位置および洗浄位置には、弁箱の浄水受入口に連通し、逆洗位置では弁箱の弁室壁により閉封される位置に夫々分散配置され、複数の浄水出水孔は、浄水受入孔と連通した浄水流通部と常時連通し、純水製造位置および洗浄位置では弁箱の浄水出水口と連通し、逆洗位置では弁箱の弁室壁により閉封される位置に夫々分散配置され、複数の廃棄水受入孔は弁箱の排水出水口と常時連通する排出孔と排水流通部とに連通し、純水製造位置および洗浄位置には、弁箱の廃棄水受入口と連通し、逆洗位置では弁箱の弁室壁により閉封される位置に夫々分散配置され、複数の排水孔は、前記排水流通部と常時連通し、純水製造位置、逆洗位置、洗浄位置の全てにおいて弁箱の排水出水口と連通し、排水連通路は常時排水連通枝路および排水流通部と連通し、排水連通枝路よりの排出水を流通して排水流通部へ送水し、排水連通枝路は、逆洗位置で弁箱の原水給水口より逆洗水を受水導入し、排水連通路を経て排水流通部へ送水し、純水製造位置および洗浄位置では弁箱の弁室壁により閉封される位置に配置され、原水隧道を構成する原水隧道出口孔は、常時原水流通部と連通する原水隧道の出口にあって、逆洗位置で弁箱の浄水受入口に原水を送水して浄水器を逆洗する位置に、夫々配置されていることを特徴とする水処理器用の切り替え弁装置。
【請求項２】
水道管と水処理器に接続して、水道管より供給される水および水処理器より受水する水の流れを切り替える弁装置であって、原水取水口、原水給水口、浄水受入口、浄水出水口、廃棄水受入口、排水出水口を有し且つ、前記各口と連通する位置で軸線を有する円筒状の弁室を設けた弁箱と、前記弁箱の弁室に回動自在に設けられ、中心部に管状の排水連通路を有し、その排水連通路管外壁を底部にして固着し、頂部を前記弁箱の弁室内壁に回動可能に密接する隔壁Ａおよび隔壁Ｂを有し、前記隔壁Ａと弁抜き止め蓋を両側面とし、後記する原水隧道および前記弁箱の原水取水口、原水給水口と連通する原水流通部、前記隔壁Ａおよび前記隔壁Ｂを両側面として、弁箱の浄水受入口および浄水出水口と連通する浄水流通部、前記隔壁Ｂを片側面とし、他側面を前記弁箱の弁室底壁とし、排水連通路口および弁箱の、廃棄水受入口と排水出水口とに連通した排水流通部、一端は排水連通路と連通し、他端を前記弁箱の弁室内壁に密接する排水連通枝路、原水流通部と浄水流通部を区分する隔壁Ａの一部を穿削し、原水流通部側を隧道入口として浄水流通部側へ延長し、両側面に隧道側壁、延長先端に隧道止壁、天井側は弁室内壁に回動可能に密接する天井と、その天井に孔を設けて隧道出口孔と成し、常時原水流通部と連通する原水隧道を有して成る弁と、この弁に連結して弁を回動操作するハンドルを具備し、前記弁は前記ハンドルに回動されて、前記した水道管より供給される水を、浄水器へ順方向に流して浄水を得、さらに純水器へ順方向に流して純水を製造する位置と、前記原水を浄水器に逆方向より流して浄水器を逆洗し、前記弁箱の排水出水口より逆洗水を排出する逆洗位置と、前記原水を浄水器に順方向に流して、浄水器を洗浄し、同時に浄水で純水器をも洗浄して前記弁箱の排水出水口より排水する洗浄位置とに夫々配置されていることを特徴とする請求項１記載の切り替え弁装置。
【請求項３】
原水取水口、原水給水口、浄水受入口、浄水出水口、廃棄水受入口、排水出水口を有し且つ、前記各口と交差して連通する位置に、軸線を有する円筒状の弁室を設けた弁箱と、前記弁箱の弁室に、内筒と外筒を有し、円形筒状で回動自在に構成され、複数の原水取入孔、原水出水孔、浄水受入孔、浄水出水孔、廃棄水受入孔、排出孔を有し、内筒外壁と外筒内壁との間に、隔壁と排水連通枝路筒壁および蓋によって複数構設された原水、浄水、排水連通部、および廃棄水受入孔と排出孔を連通する内筒内排水連通部を有して成る円筒状弁と、この弁軸の回動により、前記弁の各孔は、前記弁箱の原水取水口より供給される水を、浄水器へ順方向に流して浄水を得、さらにその浄水を純水器へ順方向に流して純水を製造する位置、前記原水を浄水器へ逆方向より流して浄水器を逆洗し、前記弁箱の排水出水口より逆洗水を排出する逆洗位置、前記原水を浄水器へ順方向に流して浄水器を洗浄して弁箱の排水出水口より排出する浄水器洗浄位置、前記原水を浄水器へ順方向に流して浄水を得、その浄水を純水器へ逆方向より流して純水器を逆洗浄して前記弁箱の排水出水口より排水する純水器逆洗浄位置とに、夫々分散配置されていることを特徴とする請求項１記載の切り替え弁装置。
【発明の詳細な説明】
【技術分野】
【０００１】  本発明は、水道管より分岐水栓にて供給される水および水処理器より供給される水の流れを切り替える弁装置に関する。
【背景技術】
【０００２】  現在このような切り替え弁装置は市場には見られない。
【発明の開示】
【発明が解決しようとする課題】
【０００３】  水処理器機の能力回復、それによる処理水能力の向上、それによるフィルター交換期間の延長化である。【０００４】  人々が環境や健康等を考慮するにおよんで、清澄で安全な水への要求が高まり、浄水器や逆侵透膜純水器等の需要は高まる一方であるが、片やそれらの器機を購入使用する使用者の不便さも顕示されて来ている。【０００５】  その最多な問題は器機内のフィルターの目詰問題である。目詰によりフィルター交換を余儀なくされるが、そのフィルター交換が大煩瑣である。特に流し台の下部に据置した器具のフィルター交換は、消費者には無理な事で業者に依頼することになる。【０００６】  流台の下部に収納する為に、あるいは他所に据置するにしても小型化が要求され、小型化は水処理器機のフィルターの処理水量の少量化を招き、次いで目詰比率を高める結果となっているが、小型化は絶対条件であるが故に頻繁なろ材交換は余儀なきものとされている。【０００７】  ＲＯ膜使用等の純水製造器機は、前処理として、濁物の除去、次いで活性炭等による有機物除去処理した水をＲＯ膜で完全処理しようとする器機であるが、除去とは称しても除去ではなく、濁物の止溜であるが故にＲＯ膜前処理的浄水器内は除去物の溜積場となり、多くフィルター前面はそれら溜積物に堵塞されて流量低下を招いているが、これらの処理物および溜積物内で増殖する細菌郡を器機外へ放出し、なお且つＲＯ膜表面の洗浄をすることにある。
【課題を解決するための手段】
【０００８】  水を逆に流して浄水器内の溜積物を器機外へ放出して、処理流量低下および目詰りを防止する、小型化および軽量化した逆流洗浄装置を安価に提供することである。
【発明の効果】
【０００９】  前処理用に用いられる浄水器の精密ろ過膜および限界ろ過膜などは、ごくわずかなコストの逆洗用の保護網をほどこすことのみで、逆洗して流量低下なしにまでフィルターの再生は可能であり、逆洗を用いない時と比較して数倍のろ過量能力の維持が可能となり、加えて逆洗することにより、細菌も器外へ放出されるので、細菌によるＲＯ膜阻害度も減少し、ＲＯ膜を逆洗浄することでその処理総量を数倍にまで向上させることが出来る。
【図面の簡単な説明】
【００１０】
【図１】弁装置の正面図。（実施例１）
【図２】弁装置の裏面図。（実施例１）
【図３】弁装置の平面図。（実施例１）
【図４】弁装置の底面図。（実施例１）
【図５】弁装置の右側面図。（実施例１）
【図６】弁装置の左側面図。（実施例１）
【図７】図１に示すＥ１−Ｅ１線上に沿う断面図。
【図８】図１に示すＥ１−Ｅ１線上に沿う断面図。
【図９】図１に示すＥ１−Ｅ１線上に沿う断面図。
【図１０】図１に示すＡ１−Ａ１線上に沿う断面図。
【図１１】図１に示すＡ１−Ａ１線上に沿う断面図。
【図１２】図１に示すＡ１−Ａ１線上に沿う断面図。
【図１３】図１に示すＢ１−Ｂ１線上に沿う断面図。
【図１４】図１に示すＢ１−Ｂ１線上に沿う断面図。
【図１５】図１に示すＢ１−Ｂ１線上に沿う断面図。
【図１６】図１に示すＣ１−Ｃ１線上に沿う断面図。
【図１７】図１に示すＣ１−Ｃ１線上に沿う断面図。
【図１８】図１に示すＣ１−Ｃ１線上に沿う断面図。
【図１９】図１に示すＤ１−Ｄ１線上に沿う断面図。
【図２０】図１に示すＤ１−Ｄ１線上に浴う断面図。
【図２１】図１に示すＤ１−Ｄ１線上に沿う断面図。
【図２２】図１０より弁箱を削除し、弁のみを表わした図。
【図２３】弁２の立方体図。
【図２４】図２２をＧ１とＧ２とに展開した図表。
【図２５】弁装置の正面図。（実施例２）
【図２６】弁装置の裏面図。（実施例２）
【図２７】弁装置の平面図。（実施例２）
【図２８】弁装置の底面図。（実施例２）
【図２９】弁装置の右側面図。（実施例２）
【図３０】弁装置の左側面図。（実施例２）
【図３１】図２５に示すＥ１−Ｅ１線上に沿う断面図。
【図３２】図２５に示すＥ１−Ｅ１線上に沿う断面図。
【図３３】図２５に示すＥ１−Ｅ１線上に沿う断面図。
【図３４】図２５に示すＡ１−Ａ１線上に沿う断面図。
【図３５】図２５に示すＡ１−Ａ１線上に沿う断面図。
【図３６】図２５に示すＡ１−Ａ１線上に沿う断面図。
【図３７】図２５に示すＢ１−Ｂ１線上に沿う断面図。
【図３８】図２５に示すＢ１−Ｂ１線上に沿う断面図。
【図３９】図２５に示すＢ１−Ｂ１線上に沿う断面図。
【図４０】図２５に示すＣ１−Ｃ１線上に沿う断面図。
【図４１】図２５に示すＣ１−Ｃ１線上に沿う断面図。
【図４２】図２５に示すＣ１−Ｃ１線上に沿う断面図。
【図４３】図２５に示すＤ１−Ｄ１線上に沿う断面図。
【図４４】図２５に示すＤ１−Ｄ１線上に沿う断面図。
【図４５】図２５に示すＤ１−Ｄ１線上に沿う断面図。
【図４６】弁２Ａ５６の立方体図。
【図４７】弁２Ａ５６の立方体図。
【図４８】弁２Ａ５６の立方体図。
【図４９】図４７に示すＡ−Ａ線上に沿う断面図。
【図５０】図４７に示すＢ−Ｂ線上に沿う断面図。
【図５１】図４７に示すＣ−Ｃ線上に沿う断面図。
【図５２】展開図の位置を示す図。
【図５３】展開図表。
【図５４】弁装置の正面図。（実施例３）
【図５５】弁装置の裏面図。（実施例３）
【図５６】弁装置の平面図。（実施例３）
【図５７】弁装置の底面図。（実施例３）
【図５８】弁装置の右側面図。（実施例３）
【図５９】弁装置の左側面図。（実施例３）
【図６０】図５４に示すＧ１−Ｇ１線上に沿う断面図。
【図６１】図５４に示すＧ１−Ｇ１線上に沿う断面図。
【図６２】図５４に示すＧ１−Ｇ１線上に沿う断面図。
【図６３】図５４に示すＧ１−Ｇ１線上に沿う断面図。
【図６４】図５４に示すＧ１−Ｇ１線上に沿う断面図。
【図６５】図５４に示すＡ１−Ａ１線上に沿う断面図。
【図６６】図５４に示すＡ１−Ａ１線上に沿う断面図。
【図６７】図５４に示すＡ１−Ａ１線上に沿う断面図。
【図６８】図５４に示すＡ１−Ａ１線上に沿う断面図。
【図６９】図５４に示すＡ１−Ａ１線上に沿う断面図。
【図７０】図５４に示すＢ１−Ｂ１線上に沿う断面図。
【図７１】図５４に示すＢ１−Ｂ１線上に沿う断面図。
【図７２】図５４に示すＢ１−Ｂ１線上に沿う断面図。
【図７３】図５４に示すＢ１−Ｂ１線上に沿う断面図。
【図７４】図５４に示すＢ１−Ｂ１線上に沿う断面図。
【図７５】図５４に示すＣ１−Ｃ１線上に沿う断面図。
【図７６】図５４に示すＣ１−Ｃ１線上に沿う断面図。
【図７７】図５４に示すＣ１−Ｃ１線上に沿う断面図。
【図７８】図５４に示すＣ１−Ｃ１線上に沿う断面図。
【図７９】図５４に示すＣ１−Ｃ１線上に沿う断面図。
【図８０】図５４に示すＤ１−Ｄ１線上に沿う断面図。
【図８１】図５４に示すＤ１−Ｄ１線上に沿う断面図。
【図８２】図５４に示すＤ１−Ｄ１線上に沿う断面図。
【図８３】図５４に示すＤ１−Ｄ１線上に沿う断面図。
【図８４】図５４に示すＤ１−Ｄ１線上に沿う断面図。
【図８５】図５４に示すＥ１−Ｅ１線上に沿う断面図。
【図８６】図５４に示すＥ１−Ｅ１線上に沿う断面図。
【図８７】図５４に示すＥ１−Ｅ１線上に沿う断面図。
【図８８】図５４に示すＥ１−Ｅ１線上に沿う断面図。
【図８９】図５４に示すＥ１−Ｅ１線上に沿う断面図。
【図９０】弁２Ｃ６５の立方体図。
【図９１】弁２Ｃ６５の立方体図。
【図９２】弁２Ｃ６５の立方体図。
【図９３】弁２Ｃ６５の立方体図。
【図９４】弁２Ｃ６５の立方体図。
【図９５】図９４に示すＰ−Ｐ線上に沿う断面図。
【図９６】図９４に示すＳ−Ｓ線上に沿う断面図。
【図９７】図５５のＦ−Ｆ線上に沿う断面図。
【図９８】図９９の展開図を作成する説明図。
【図９９】弁２Ｃ６５の展開図表。
【符号の説明】
【００１１】  １  弁箱
２  弁
３  原水給水口
４  浄水受入口
５  浄水出水口
６  廃棄水受入口
７  排水出水口
８  弁室
９  原水取入孔
１０  原水流通部
１１  原水出水孔
１２  浄水流通部
１３  排水連通路
１４  排水連通枝路
１５  浄水受入孔
１６  浄水出水孔
１７  排水流通部
１８  廃棄水受入孔
１９  排出孔
２０  ハンドル
２１  弁室内壁
２２  原水取入口
２３  内筒外壁
２４  隔壁Ａ
２５  隔壁Ｂ
２６  浄水器ＩＮ
２７  浄水器ＯＵＴ
２８  浄水器
２９  浄水器採水口
３０  浄水出水孔Ｂ
３１  浄水採水栓
３２  水道管
３３  弁外筒
３４  ホース等水管
３５  給水栓
３６  圧力タンク
３７  弁内筒
３８  原水隧道
３９  原水隧道入口
４０  浄水隧道
４１  浄水隧道入口
４２  純水器ＩＮ
４３  純水器
４４  純水器廃棄水ＯＵＴ
４５  純水器純水ＯＵＴ
４６  隧道蓋Ａ
４７  隧道蓋Ｂ
４８  弁抜き止め蓋
４９  弁室底壁
５０  蓋Ｃ
５１  排水連通路口
５２  原水隧道出口孔
５３  浄水隧道出口孔Ａ
５４  浄水隧道出口孔Ｂ
５５  ノズル
５６  弁２Ａ
５７  中間肉
５８  排水連通枝路壁
５９  原水隧道出口孔壁
６０  シール用０リング
６１  取り付け用座
６２  隧道側壁
６３  弁外筒
６４  弁２Ｂ
６５  弁２Ｃ
６６  排水連通枝路Ｂ
６７  排水連通枝路Ｃ
６８  浄水出水孔Ｂ
６９  壁体蓋
７０  浄水流通部Ｐ
７１  純水受入口
７２  純水流通部
７３  純水出水口
７４  排水連通路口Ｂ
７５  排水連通枝路Ｄ
７６  隔壁Ｃ
７７  隧道側壁
７８  壁体蓋処
７９  隧道止壁
【発明を実施するための最良の形態】
【００１２】  片方面に原水取水口および排水出水口、片面にろ過器への原水給水口、受入口、浄水出水口、廃棄水受入口を有し、中央に各口と直角を為す円筒状の弁室を設け、その弁室内に、弁室原水流通部、浄水流通部、排水流通部、排水連通路、排水連通枝路を備えた弁と、ハンドルを具備し、そのハンドルに回動されて、原水取水口より取水した原水及び浄水器より受入した浄水等を切り替えて流出し、純水製造位置では、浄水工程器機、浄水器およびＲＯ処理器機純水器はともに順路の水流経路をとり、浄水器逆洗位置では浄水器のみ水を逆流をして浄水器を逆洗して処理物を廃棄し、洗浄位置では浄水器純水器ともに順路な水の経路をとるが、洗浄物は排水して各器内を洗浄し、再び純水製造位置にて純水の製造を繰り返し出来る切り替え弁装置を提供することができる。
【実施例１】
【００１３】  以下本発明の第一実施例を図１ないし図２４を参照して説明する。なお図上に示した符合は、同一部分には同一符合を付して説明する。尚シール材は説明を省略する。【００１４】  図１は弁装置の正面図、図２は裏面図、図３は平面図、図４は底面図、図５は右側面図、図６は左側面図、図７及至図９は図１に示すＥ１−Ｅ１線上に沿う断面図である。【００１５】  図中１は弁箱、３は原水給水口、４は浄水受入口、５は浄水出水口、６は廃棄水受入口、７は排水出水口、２２は原水取水口、５５はノズル、２０はハンドルである。
図中２は弁、複数の９は原水取入孔、１０は原水流通部、複数の１１は原水出水孔、１２は浄水流通部、１３は排水連通路、１４は排水連通枝路、複数の１５は浄水受入孔、複数の１６は浄水出水孔、１７は排水流通部、複数の１８は廃棄水受入孔、複数の１９は排出孔である。【００１６】  図７を参照して、通常の純水製造経路を説明する。図中の矢印は水の経路を示す。
水は弁箱１の原水取入口２２より受け入れ、弁２の原水取入孔９より、隔壁Ａ２４と弁抜き止め蓋４８によって構成する原水流通部１０、弁２の原水出水孔１１、弁箱１の原水給水口３を経てホース等水管３４より浄水器ＩＮ２６より浄水器２８、そして浄水器ＯＵＴ２７より出水し、ホース等水管３４を経て、弁箱１の浄水受入口４、弁２の浄水受入孔１５より浄水流通部１２、弁２の浄水出水孔１６、弁箱１の浄水出水口５より出水し、ホース等水管３４より純水器ＩＮ４２より純水器４３に入水して純水処理される。
純水器４３では器内で２種の水様に分岐され、一種は不純水として廃棄され、一種は純水として採水される。
純水処理された純水は、ホース等水管３４を流通して給水栓３５に給水されるか又は、圧力タンク３６に貯水する。
純水処理工程において出来る不純水は廃棄水として処理されるが、本例ではその廃棄水経路を説明する。
廃棄水は、純水器４３の純水器廃棄水ＯＵＴ４４よりホース等水管を経て弁箱１の廃棄水受入口６、弁２の廃棄水受入孔１８より排水流通部１７へ流通し、排出孔１９、弁箱１の排水出水口７よりホース等水管３４を流通して排出される水の経路である。【００１７】  図８を参照して浄水器２８の逆洗経路を説明する。図中の矢印は水の経路を示す。
水は弁箱１の原水取入口２２より入水し、弁２の原水取入孔９より原水流通部１０に入水し、その原水流通部１０に連通する原水隧道入口３９より原水隧道３８、原水隧道出口孔５２より、弁箱１の浄水受入口４へ逆流で送水し、ホース等水管３４を流通して浄水器ＯＵＴ２７より浄水器２８に逆流入水し、浄水器ＩＮ２６より出水してホース等水管３４を経て弁箱１の原水給水口３に逆に入水し、弁２の排水連通枝路１４、排水連通路１３と流れて排水流通部１７に至り、弁２の排出孔１９より弁箱１の排水出水口７に至り排水する経路である。
この逆洗時では弁箱１の浄水出水口５には弁２より水の供給はなく、従って純水器４３は停水している。【００１８】  図９を参照して浄水器２８の洗浄および純水器４３の洗浄経路を説明する。逆洗後の浄水器２８の洗浄は必需である。
図上矢印で示すごとく水の流れは純水製造経路と同様であるが、弁２の浄水出水孔１６および廃棄水受入孔１８の孔経を大きくして、純水器４３の洗浄をする。
弁箱１の原水取水口２２より入水した水が、弁箱１の排水出水口７より排水されるまでの純水製造経路と同様である水の流経を単略に説明する。
弁箱１の原水取入口２２より入水し−弁２の原水取入孔９−原水流通部１０−原水出水孔１１−弁箱１の原水給水口３−ホース等水管３４−浄水器ＩＮ２６−浄水器ＯＵＴ２７−ホース等水管３４−弁箱１の浄水受入口４−弁２の浄水受入孔１５−浄水流通部１２−浄水出水孔１６−弁箱１の浄水出水口５−ホース等水管３４−純水器ＩＮ４２−純水器４３−純水器廃棄水ＯＵＴ４４−ホース等水管３４−弁箱１の廃棄水受入口６−弁２の廃棄水受入孔１８−排水流通部１７−排出孔１９−弁箱１の排水出水口７より排水する経路である。【００１９】  図１のＡ１−Ａ１線上に沿う断面図である図１０は純水製造中の弁２の位置、図１１は逆洗時の弁２の位置、図１２は洗浄時の弁２の位置を示しているが、これらの図上にある符号１０および符号２４は同所を示すものであるが、一つは原水流通部１０を示し、一つは隔壁Ａ２４が示されるのでその符号も同時に符したものであり、この同所２符号を符した図は以後も有るので先に説明しておく。
図１のＢ１−Ｂ１線上に沿う断面図である図１３は純水製造時の弁２、図１４は逆洗時の弁２、図１５は洗浄時の弁２の位置を示す。
図１のＣ１−Ｃ１線上に沿う断面図である図１６は純水製造時、図１７は逆洗時、図１８は洗浄時、における弁２の夫々各位置を示す。
図１のＤ１−Ｄ１線上に沿う断面図である図１９は純水製造時、図２０は逆洗時、図２１は洗浄時、における弁２の各位置を示す。【００２０】  図１０と図２２、図２３および図２４を参照にして弁２の内筒外壁と外筒内壁間に設けられている、隔壁Ａ２４と隔壁Ｂ２５について説明する。
図１０における図中の弁箱１を削除した図は図２２であり、図２２の符号３３は弁２の弁外筒、符号３７は弁２の弁内筒であり、図中Ａ線上で弁２をＧ１とＧ２とに切割し、展開して具像化したのが図２３であり、説明に用いる図表である。【００２１】  図２４における符号、４８は弁抜き止め蓋、２４は隔壁Ａ、２５は隔壁Ｂ、４９は弁箱１の弁室８の底部であり、弁抜き止め蓋４８と隔壁Ａ２４の間は原水流通部１０、隔壁Ａ２４と隔壁Ｂ２５の間は浄水流通部１２、隔壁Ｂ２５と弁室底部４９の間は排水流通部１７である。【００２２】  図２４における符号、３８は原水隧道、３９は原水隧道入口、５２は原水隧道出口孔、４６は隧道蓋Ａである。
逆洗位置にある時には、図８に示すように、原水流通部１０の水は、原水隧道入口３９、原水隧道３８と流れ、原水隧道出口孔５２より出水し、この時連通している弁箱１の浄水受入口４より逆に流れて浄水器ＩＮ２６を逆洗して、排水連通枝路１４にて逆洗水を受水導入するが、図１４では図２４上のＢ１−Ｂ１線上にある原水隧道３８および原水隧道出口孔５２からの原水出水を、図１１では図２３上のＡ１−Ａ１線上にある排水連通技路１４の逆洗水受け入れ、及び排水連通路１３への送水を表している。
図２３は弁２の立方体で、隔壁Ａ２４、原水隧道３８が覗見でき、５８は排水連通枝路を構成する壁部である。【００２３】  図２４の表を参照して説明を加える。図上Ａ−Ａ線が図７における原水給水口３側にある時には純水製造位置である。
図２４上Ｂ−Ｂ線が図８における原水給水口３側にある時には逆洗位置であり、原水取入孔９より入水した水は原水流通部１０を満たすが、原水隧道入口３９、原水隧道３８を経て原水隧道出口孔５２より弁箱１の浄水受入口４へ逆流し、弁箱１の原水給水口３に連通した排水連通枝路１４より弁２の内筒で成る排水連通路１３へ流通する。
図２４のＣ−Ｃ線が図９における原水給水口３側にある位置は洗浄位置である。
【実施例２】
【００２４】  次に第２実施例を図２５及至図５２および第１実施例中の図を参照して説明する。なお、図上示した符号は、第一実施例と同一部分には同一の符号を付して説明する。
図２５は弁装置の正面図、図２６は裏面図、図２７は平面図、図２８は底面図、図２９は右側面図、図３０は左側面図であり、これは第一実施例と同一である。
図３１及至図３３は図１に示すＥ１−Ｅ１線上に沿う断面図で、図３１は弁２の純水製造位置での図、図３２は逆洗位置、図３３は洗浄位置での断面図である。
図３１と図７を、図３２と図８を、図３３と図９を夫々対照して参照すると、第２実施例における弁２Ａ５６は実施例１における弁２の外筒が削除され、第１実施例での、複数の原水取入孔９、複数の原水出水孔１１、複数の浄水受入孔１５、複数の浄水出水孔１６、複数の廃棄水受入孔１８、複数の排出孔１９が消失している。【００２５】  図７および図３１を参照して純水製造位置の説明をする。
矢印は水の経路を表わし、原水は図示しない水道管より、ホース等水管３４より弁箱１の原水取入口２２より原水流通部１０に至り、連通した弁箱１の原水給水口３より浄水器２８へ送水し、純水器４３よりの廃棄水を弁箱１の廃棄水受入口６より受水し、排水流通部１７を経て、弁箱１の排水出水口７よりホース等水管３４を経て排出する水の経路は、第一実施例において図７を参照して説明した水の経路と同一であり、第一実施例同様の純水製造時での効果をもたらす。【００２６】  図８、図３２および図３５を参照して逆洗位置での説明をする。
図３２に示す矢印は水の経路を表わし、これは図８を参照して第一実施例にて説明した水の経路と同一であり、浄水器２８の逆洗位置の経路であり、浄水器２８の逆洗を的確に行うことが出来、浄水器ＩＮ２６よりホース等水管３４を経て弁箱１の原水給水口３に至った逆洗水を、図３５が示す如く、排水連通枝路１４にて受水し、連通した排水連通路１３へ送水する。
図３３を参照して、浄水器２８の洗浄並びに純水器の洗浄を説明する。
水の経路を矢印にて示すにとどまるが、第二実施例でも第一実施例の如く浄水器２８および純水器４３を洗浄して排水する。【００２７】  図３４、図３５、図３６は図２５に示すＡ１−Ａ１線上に沿う断面図で、図３４は純水製造位置、図３５は逆洗位置、図３６は洗浄位置である。
図３７、図３８、図３９は図２５に示すＢ１−Ｂ１線上に沿う断面図で、図３７は純水製造位置、図３８は逆洗位置、図３９は洗浄位置である。
図４０及至図４２は図２５に示すＣ１−Ｃ１線上に沿う断面図で、図４０は純水製造位置、図４１は逆洗位置であり、図４２は洗浄位置である。
図４３及至図４５は、図２５に示すＤ１−Ｄ１線上に沿う断面図で、図４３は純水製造位置であり、図４４は逆洗位置、図４５は洗浄位置である。
図３２において逆洗をする原水流通部１２からの水路が不明確であるために、図４６及至図５３に弁２Ａ５６と弁抜き止め蓋４８、ハンドル２０を示し、弁箱１は削除して説明する。
図４６は参照用の立方体図である。
図４９は、図４７に示すＡ−Ａ線上に沿う断面図であり、排水連通枝路１４、排水連通路１３、原水隧道３８、原水流通部１０を示している。
図５０は、図４７に示すＢ−Ｂ線上に沿う断面図であり、原水隧道３８を両側面とした、弁２Ａ５６の製作上やむなく出き上る、排水連通枝路壁５８および原水隧道出口孔５２間の中間肉５７が示されているが、この中間肉５７は図３２において逆洗をする為の原水が原水隧道出口孔５２まで至る水の経路を不明確にしているが、図５０において中間肉５７の両側に原水隧道３８が構成されている事を示す。
図５１は図４７に示すＣ−Ｃ線上に沿う断面図で浄水流通部１２の中に出張った原水隧道３８の原水隧道出口孔５２が示され、図３３に示す如く、この原水隧道出口孔５２より原水は浄水器ＯＵＴ２７へ逆洗する為の原水を逆送して、浄水器２８を逆洗して、図４９に示すごとく、排水連通枝路１４より受水して、排水連通路１３へ送水して逆洗をする。【００２８】  図５２は図３４と同一の図であるが、図上Ａ線上にてＧ１とＧ２とに切割して展開した図表は図５３である。
図５３上のＡ−Ａ線上が弁箱１の原水給水口３側にある時に純水製造位置、Ｂ−Ｂ線上にある時が逆洗位置、Ｃ−Ｃ線上にある時が洗浄位置である。
図５３上のＢ−Ｂ線上が弁箱１の原水給水口３側にある位置の逆洗位置において、図上符号５２の原水隧道出口孔は弁箱１の浄水受入口４と連通し、排水連通枝路１４は弁箱１の原水給水口３に連通して浄水器ＩＮ２６より逆洗水を受け入れて逆洗をなす。
【実施例３】
【００２９】  図５４および図９９を参照して第３の実施例を説明する。
図５４は正面図、図５５は裏面図、図５６は平面図、図５７は底面図、図５８は左側面図、図５９は右側面図である。【００３０】  図６０を参照して純水製造位置での水の経路を説明する。図中の矢印は水の流方向を示す。
水道管より供給された原水は、ホース等水管３４にて自来し、弁箱１の原水取入口２２より、弁抜き止め蓋４８、隔壁Ｂ２５、弁室内壁２１と弁２Ｃ６５にて構成する原水流通部１０に至り、次に弁箱１の原水給水口３、そしてホース等水管３４を流通して、浄水器ＩＮ２６、浄水器２８、浄水器ＯＵＴ２７より浄化されて出水し、ホース等水管３４を流通して弁箱１の浄水受入口４にて、弁室内壁２１、隔壁Ａ２４、隔壁Ｂ２５、および弁２Ｃ６５にて構成する浄水流通部１２に至り、浄水は、弁箱１の浄水出水口５、次にホース等水管３４を流通して、純水器ＩＮ４２より純水器４３で純水化され純水器純水ＯＵＴ４５より出水し、ホース等水管３４にて弁箱１の純水受入口７１より、弁２Ｃ６５、隔壁Ｃ７６、弁室内壁２１および弁箱１の弁室底壁４９にて構成された純水流通部７２に入水し、弁箱１の純水出水口７３より出水し、ホース等水管３４にて片や圧力タンク３６に貯水され、片や給水栓３５にて給水される。
純水器４３にて出来る廃棄水は、純水器廃棄水ＯＵＴ４４よりホース等水管３４へ流水し、弁箱１の廃棄水受入口６より隔壁Ｂ２５と隔壁Ｃ７６間で、弁室内壁２１および弁２Ｃ６５で構成する排水流通部１７へ入水し、弁箱１の排水出水口７よりホース等水管３４にて排水される。【００３１】  図６１を参照して、浄水器２８逆洗位置に弁２Ｃ６５が回動した時の水の経路を説明する。以下横線−にて水の経路を説明する場合もある。なお、ホース等水管３４は省略する。
弁箱１の原水取入口２２に流入した水は弁２Ｃ６５の原水流通部１０−原水隧道入口３９−原水隧道３８−原水隧道出口孔５２−浄水器ＯＵＴ２７−浄水器ＩＮ２６−弁箱１の原水給水口３−排水連通枝路１４−排水連通路１３−排水連通路口Ｂ７４−排水流通部１７−弁箱１の排水出水口７を経て排出される逆洗時での経路である。
この位置では弁箱１の浄水出水口５ならびに廃棄水受入口６、純水受入口７１、および後述する浄水採水口２９等における水の出入は、浄水流通部１２への給水がない故にない。【００３２】  図３６を参照して浄水器２８の洗浄位置での水の経路を説明する。
弁箱１の原水取入口２２に自来した水は弁２Ｃ６５の原水流通部１０−弁箱１の原水給水口３−浄水器ＩＮ２６−浄水器ＯＵＴ２７と浄水器２８を順流し、−弁箱１の浄水受入口４より弁２Ｃ６５の排水連通枝路Ｂ６６−排水連通路１３−排水流通部１７−弁箱１の排水出水口７より排水される経路である。【００３３】  図６３を参照して純水器４３逆洗位置での水の経路を説明する。
弁箱１の原水取入口２２に自来した水は弁２Ｃ６５の原水流通部１０−弁箱１の原水給水口３−浄水器ＩＮ２６−浄水器ＯＵＴ２７と浄水器２８を順流して浄化され−弁箱１の浄水受入口４より弁２Ｃ６５の浄水流通部１２へ入水し、後述する浄水隧道入口４１−浄水隧道４０−浄水隧道出口孔Ａ５３より純水器廃棄水ＯＵＴ４４へ、浄水隧道出口孔Ｂ５４より純水器純水ＯＵＴ４５へと夫々に送水され−純水器４３を逆洗し−純水器ＩＮ４２より出水し−弁２Ｃ６５の排水連通枝路Ｃ６７−排水連通路１３−排水連通路口Ｂ７４−排水流通部１７−弁箱１の排水出水口７より排水される純水器４３逆洗経路である。
この時純水器４３は浄水にて逆洗及び逆洗浄される。【００３４】  次に図３８を参照して純水器４３洗浄位置での水の経路を説明する。
弁箱１の原水取入口２２に自来した水は弁２Ｃ６５の原水流通部１０−弁箱１の原水給水口３−浄水器ＩＮ２６−浄水器２８−浄水器ＯＵＴ２７と順通して弁箱１の浄水受入口４−弁２Ｃ６５の浄水流通部１２−弁箱１の浄水出水口５−純水器ＩＮ４２−純水器４３−片や純水器廃棄水ＯＵＴ４４と純水器４３内を順流洗浄して弁箱１の廃棄水受入口６に流入して−排水流通部１７−弁箱１の排水出水口７より排水され、片や純水器純水ＯＵＴ４５より純水器４３内を順流した水を逆洗直後の洗浄行為の洗浄水として弁箱１の純水受入口７１−弁２Ｃ６５の排水連通枝路Ｄ７５より−排水連通路１３−排水連通路口Ｂ７４−排水流通部１７−弁箱１の排水出水口７より排水する水の経路である。【００３５】  図６５及至図６９は図５４のＡ１−Ａ１線上に沿う断面図であり、図６５は純水製造時の弁２Ｃ６５の位置であり、図６６は浄水器２８逆洗時、図６７は浄水器２８洗浄時、図６８は純水器４３逆洗時、図６９は純水器４３洗浄時で、夫々各時での弁２Ｃ６５の位置である。
図７０及至図７４は図５４のＢ１−Ｂ１線上に沿う断面図であり、図７０は純水製造時での弁２Ｃ６５の位置を示し、図７１は浄水器２８逆洗時、図７２は浄水器２８洗浄時、図７３は純水器４３逆洗浄時、図７４は純水器４３順洗浄時で、夫々各時での弁２Ｃ６５の位置である。
図７５及至図７９は図５４のＣ１−Ｃ１線上に沿う断面図であり、図７５は純水製造時での弁２Ｃ６５の位置を示し、図７６は浄水器２８逆洗時、図７７は浄水器２８洗浄時、図７８は純水器４３逆洗時、図７９は純水器４３順洗浄時で、夫々各時での弁２Ｃ６５の位置である。
図８０及至図８４は図５４のＤ１−Ｄ１線上に沿う断面図であり、図８０は純水製造時での弁２Ｃ６５の位置を示し、図８１は浄水器２８逆洗時、図８２は浄水器２８洗浄時、図８３は純水器４３逆洗時、図８４は純水器４３順流洗浄時で、夫々各時での弁２Ｃ６５の位置である。
図８５及至図８９は図５４におけるＥ１−Ｅ１線上に沿う断面図であり、図８５は純水製造時、図８６は浄水器２８逆洗時、図８７は浄水器２８洗浄時、図８８は純水器４３逆洗時、図８９は純水器４３洗浄時での弁２Ｃ６５の位置である。【００３６】  図９７を参照して、浄水の採水を説明する。
図９７は図５５に示すＦ１−Ｆ１線上に沿う断面図であり、弁２Ｃ６５の浄水流通部１２より浄水を採水する為に、弁箱１に浄水採水口２９を設け、ホース等水管３４を経て浄水採水栓３１にて、食材洗浄用水として浄水を採水することを表わしている。【００３７】  図９０及至図９６、さらに図９８と図９９を参照して弁２Ｃ６５の隔壁Ａ２４、隔壁Ｂ２５、隔壁Ｃ７６および原水隧道３８、浄水隧道４０について説明する。
図９０及至図９４は弁箱１を削除して、弁２Ｃ６５、弁抜き止め蓋４８、ハンドル２０のみ表わした立方体図である。
図９１上の符号７４は排水連通路口Ｂである。
図９２および図９３では原水隧道入口３９、浄水隧道入口４１および壁体蓋処７８が示される。この壁体蓋処７８に壁体蓋６９が接着されて隔壁Ａ２４と一体化する。
図９４に示すＰ−Ｐ線上に沿う断面図は図９５であり、浄水隧道入口３９および中間肉５７を示し、Ｓ−Ｓ線上に沿う断面図は図９６であり、浄水隧道４０および中間肉５７を示す。
第一実施例における隔壁Ｂ２５は別部品として接着されるものであるが、第二実施例における隔壁Ａ２４、隔壁Ｂ２５、隔壁Ｃ７６は弁２Ｃ６５と一体化している。【００３８】  図９９は、図６５を図９８に示すＡ線上でＧ１とＧ２とに切割して展開した弁２Ｃ６５の具像表図であり、説明の簡明のために用いる。
図９９を参照して弁２Ｃ６５の回動について説明する。
図６０における弁箱１の原水給水口３側へ、図９９に示すＡ−Ａ線上に弁２Ｃ６５が回動された時が純水製造位置であり、図６０に示す矢印の水の経路をとり、Ｂ−Ｂ線上に弁２Ｃ６５が回動された時が浄水器２８逆洗位置であり、図６１に示す矢印の水の経路をとり、Ｃ−Ｃ線上に回動された時が浄水器２８洗浄位置であり、図６２に示す矢印の水の経路をとり、Ｄ−Ｄ線上に回動された時が純水器４３逆洗位置であり、図６３に示す矢印の水の経路をとり、Ｅ−Ｅ線上に回動された時は純水器４３洗浄位置であり、図６４に示す矢印の水の経路をとる夫々各位置である。
【産業上の利用可能性】
【００３９】  目詰まりをおこし、頻繁にフィルターの交換を余儀なくされている現状の純水器を、長期間フィルター交換なしで純水をより多量に製造出来ることは、消費者にとっても要望されていることを以って想起すれば、この切り替え弁装置の利用可能性は高度である。
【図１】
0004780467.tif 000002
【図２】
0004780467.tif 000003
【図３】
0004780467.tif 000004
【図４】
0004780467.tif 000005
【図５】
0004780467.tif 000006
【図６】
0004780467.tif 000007
【図７】
0004780467.tif 000008
【図８】
0004780467.tif 000009
【図９】
0004780467.tif 000010
【図１０】
0004780467.tif 000011
【図１１】
0004780467.tif 000012
【図１２】
0004780467.tif 000013
【図１３】
0004780467.tif 000014
【図１４】
0004780467.tif 000015
【図１５】
0004780467.tif 000016
【図１６】
0004780467.tif 000017
【図１７】
0004780467.tif 000018
【図１８】
0004780467.tif 000019
【図１９】
0004780467.tif 000020
【図２０】
0004780467.tif 000021
【図２１】
0004780467.tif 000022
【図２２】
0004780467.tif 000023
【図２３】
0004780467.tif 000024
【図２４】
0004780467.tif 000025
【図２５】
0004780467.tif 000026
【図２６】
0004780467.tif 000027
【図２７】
0004780467.tif 000028
【図２８】
0004780467.tif 000029
【図２９】
0004780467.tif 000030
【図３０】
0004780467.tif 000031
【図３１】
0004780467.tif 000032
【図３２】
0004780467.tif 000033
【図３３】
0004780467.tif 000034
【図３４】
0004780467.tif 000035
【図３５】
0004780467.tif 000036
【図３６】
0004780467.tif 000037
【図３７】
0004780467.tif 000038
【図３８】
0004780467.tif 000039
【図３９】
0004780467.tif 000040
【図４０】
0004780467.tif 000041
【図４１】
0004780467.tif 000042
【図４２】
0004780467.tif 000043
【図４３】
0004780467.tif 000044
【図４４】
0004780467.tif 000045
【図４５】
0004780467.tif 000046
【図４６】
0004780467.tif 000047
【図４７】
0004780467.tif 000048
【図４８】
0004780467.tif 000049
【図４９】
0004780467.tif 000050
【図５０】
0004780467.tif 000051
【図５１】
0004780467.tif 000052
【図５２】
0004780467.tif 000053
【図５３】
0004780467.tif 000054
【図５４】
0004780467.tif 000055
【図５５】
0004780467.tif 000056
【図５６】
0004780467.tif 000057
【図５７】
0004780467.tif 000058
【図５８】
0004780467.tif 000059
【図５９】
0004780467.tif 000060
【図６０】
0004780467.tif 000061
【図６１】
0004780467.tif 000062
【図６２】
0004780467.tif 000063
【図６３】
0004780467.tif 000064
【図６４】
0004780467.tif 000065
【図６５】
0004780467.tif 000066
【図６６】
0004780467.tif 000067
【図６７】
0004780467.tif 000068
【図６８】
0004780467.tif 000069
【図６９】
0004780467.tif 000070
【図７０】
0004780467.tif 000071
【図７１】
0004780467.tif 000072
【図７２】
0004780467.tif 000073
【図７３】
0004780467.tif 000074
【図７４】
0004780467.tif 000075
【図７５】
0004780467.tif 000076
【図７６】
0004780467.tif 000077
【図７７】
0004780467.tif 000078
【図７８】
0004780467.tif 000079
【図７９】
0004780467.tif 000080
【図８０】
0004780467.tif 000081
【図８１】
0004780467.tif 000082
【図８２】
0004780467.tif 000083
【図８３】
0004780467.tif 000084
【図８４】
0004780467.tif 000085
【図８５】
0004780467.tif 000086
【図８６】
0004780467.tif 000087
【図８７】
0004780467.tif 000088
【図８８】
0004780467.tif 000089
【図８９】
0004780467.tif 000090
【図９０】
0004780467.tif 000091
【図９１】
0004780467.tif 000092
【図９２】
0004780467.tif 000093
【図９３】
0004780467.tif 000094
【図９４】
0004780467.tif 000095
【図９５】
0004780467.tif 000096
【図９６】
0004780467.tif 000097
【図９７】
0004780467.tif 000098
【図９８】
0004780467.tif 000099
【図９９】
0004780467.tif 000100